(57)【要約】      （修正有）【課題】回路基板に占める面積を効率よく利用して電子部材と端子の増設に適する電子装置のパッケージケースを提供する。【解決手段】方向Ｘ１において互いに間を空けて対面するように形成され、それぞれ第１側部収容空間３１１を囲む２つの側壁３１と、各側壁３１を繋ぎ、共にケース収容凹部３３を画成する連接壁３２と、を有する第１のケース３と、互いに間を空けて配置される上壁４２及び底壁４３と、上壁及び底壁を繋ぎ、共に方向Ｘ１において互いに離間する２つの第２の収容空間４５を画成する隔壁４４と、を有し、第１のケース３のケース収容凹部３３内に収容される第２のケース４と、第１のケース３にある各側壁３１にそれぞれ取り付けられる２つの第１の接続端子群５１と、第２のケース４にある底壁４３に取り付けられる２つの第２の接続端子群５２と、が含まれる接続手段と、を具える。【選択図】図５
0003209092.tif 000002
【実用新案登録請求の範囲】
【請求項１】
電子部材と回路基板を電気的に接続できる電子装置のパッケージケースにおいて、
第１の方向において、互いに間を空けて対面するように形成されると共に、それぞれ第１側部収容空間を囲む２つの側壁と、
各前記側壁を繋ぎ、且つ各前記側壁と共に前記回路基板に向かって開口するケース収容凹部を画成する連接壁と、を有する第１のケースと、
互いに間を空けて配置されている上壁及び底壁と、
前記上壁及び前記底壁を繋ぎ、且つ該前記上壁及び前記底壁と共に前記第１の方向において互いに離間している２つの第２の収容空間を画成する隔壁と、を有し、前記第１のケースの前記ケース収容凹部内に収容されている第２のケースと、
前記第１のケースにある各前記側壁にそれぞれ取り付けられる２つの第１の接続端子群と、
前記第１の方向において各前記第１の接続端子群と離間するように、前記第２のケースにある前記底壁に取り付けられる２つの第２の接続端子群と、が含まれている接続手段と、を具え、
各前記第１の接続端子群には、前記第１の方向と異なる第２の方向において互いに間を空けて配置される複数の第１の接続端子が含まれており、
各前記第２の接続端子群には、前記第２の方向において互いに間を空けて配置されている複数の第２の接続端子が含まれており、
更に、少なくとも各前記第１側部収容空間及び各前記第２の収容空間のいずれか１つに、前記電子部材の少なくとも一部を収容できるように構成されていることを特徴とする電子装置のパッケージケース。
【請求項２】
前記第１のケースの各前記側壁にある前記第１側部収容空間は、それぞれ前記第２のケースに臨む側の反対側にある第１の開口を有し、各前記側壁は前記第１の開口の周縁に接する環状面を有しており、
各前記第１の接続端子群にある各前記第１の接続端子は、
対応する前記側壁の前記環状面から突出して前記電子部材と電気的に接続できる第１の突出部と、
対応する該前記側壁から突出して前記回路基板と電気的に接続できる第１の接続部と、を有していることを特徴とする請求項１に記載の電子装置のパッケージケース。
【請求項３】
前記第２のケースにある各前記第２の収容空間は、それぞれ前記第１のケースの各前記側壁に臨む第２の開口を有しており、
前記第２のケースにある前記底壁は、対応する前記第２の収容空間にある前記第２の開口の周縁に接し、且つ各前記側壁にそれぞれ臨む２つの底側面を有しており、
各前記第２の接続端子群にある各前記第２の接続端子は、
対応する前記底側面から突出して前記電子部材と電気的に接続できる第２の突出部と、
前記底壁から突出して前記回路基板と電気的に接続できる第２の接続部と、を有していることを特徴とする請求項２に記載の電子装置のパッケージケース。
【請求項４】
前記第２のケースにある前記上壁は、前記第２の収容空間にある各前記第２の開口にそれぞれ隣接して前記第１のケースの各前記側壁にそれぞれ臨む２つの上側面を有しており、
各前記接続手段には、
前記第１のケースに取り付けられる第１の連絡端子群と、
前記第２のケースの前記上壁に取り付けられる第２の連絡端子群と、が更に含まれており、
前記第１の連絡端子群には、前記第２の方向において互いに間を空けるように配置される複数の第１の連絡端子が含まれており、
各前記第１の連絡端子は、前記第１のケースの各前記側壁にある前記環状面からそれぞれ突出して前記電子部材と電気的に接続できる２つの第１の連絡部を有しており、
前記第２の連絡端子群には、前記第２の方向において互いに間を空けるように配置される複数の第２の連絡端子が含まれており、
各前記第２の連絡端子は、前記第２のケースの前記上壁にある各前記上側面からそれぞれ突出して前記電子部材と電気的に接続できる２つの第２の連絡部を有していることを特徴とする請求項３に記載の電子装置のパッケージケース。
【請求項５】
前記第２のケースにある前記上壁は、対応する前記第２の収容空間にある前記第２の開口に隣接して前記第１のケースの各前記側壁にそれぞれ臨む２つの上側面を有しており、
各前記接続手段には、
前記第１のケースに取り付けられる第１の連絡端子部と、
前記第２のケースの前記上壁に取り付けられる第２の連絡端子部と、が更に含まれており、
各前記第１の連絡端子部には、
前記第２の方向において互いに間を空けるように配置される複数の棒状の第１の連絡端子と、
各前記第１の連絡端子と電気的に接続する板状の第１の連絡基板と、が含まれており、
各前記第１の連絡端子は、
対応する前記側壁にある前記環状面から突出して前記電子部材と電気的に接続できる第１の連絡部と、
対応する該前記側壁から突出して前記第１の連絡基板と電気的に接続する第１の外接部と、を有しており、
各前記第２の連絡端子部には、
前記第２の方向において互いに間を空けるように配置される複数の棒状の第２の連絡端子と、
各前記第２の連絡端子と電気的に接続する板状の第２の連絡基板と、が含まれており、
各前記第２の連絡端子は、
対応する前記上壁にある各前記上側面からそれぞれ突出して前記電子部材と電気的に接続できる第２の連絡部と、
対応する該前記上壁から突出して前記第２の連絡基板と電気的に接続する第２の外接部と、を有していることを特徴とする請求項３に記載の電子装置のパッケージケース。
【請求項６】
前記第１の方向と前記第２の方向は互いに略直交となっていることを特徴とする請求項１〜請求項５のいずれか一項に記載の電子装置のパッケージケース。
【請求項７】
前記連接壁及び各前記第１側部収容空間を封止するように前記第１のケースを覆うハウジングを更に具えていることを特徴とする請求項１〜６のいずれか一項に記載の電子装置のパッケージケース。
【考案の詳細な説明】
【技術分野】
【０００１】
本考案は電子装置に関し、特にろ波機能のある電子装置のパッケージケースに関する。
【背景技術】
【０００２】
従来の、ろ波機能のある電子装置としては、例えば下記の特許文献に記載されたものがあり、図１は該従来の電子装置の構成が示されている分解斜視図であり、そして図２は該従来の電子装置の要部平面図である。
【０００３】
該従来の電子装置は、主ケース１１と、主ケース１１と取り外し可能に係合できる副ケース１２と、主ケース１１及び副ケース１２に収容される複数のチョークコイルなどの電子部材１０と、主ケース１１及び副ケース１２に取り付けられて各電子部材１０を回路基板（図示せず）と電気的に連接する複数の端子１３と、主ケース１１及び副ケース１２を覆うハウジング１４と、を具えている。
【０００４】
主ケース１１には、該主ケース１１の長さ方向Ｌにおける両端部に、それぞれ複数の電子部材１０を収容できる２つの第１の収容凹部１１４と、前記２つの収容凹部１１４の間に配置されて前記副ケース１２を収容できる係合凹部１１２と、が形成されている。
【０００５】
副ケース１２は、主ケース１１の係合凹部１１２に収容される際、長さ方向Ｌに沿って延伸すると共に、複数の電子部材１０を収容する第２の収容凹部１２２が形成されている。
【０００６】
各端子１３は、主ケース１１の２つの第１の収容凹部１１４のそれぞれの幅方向Ｗにおける両側及び、副ケース１２の第２の収容凹部１２２の幅方向Ｗにおける両側において、それぞれ前記長さ方向Ｌ及び幅方向Ｗのいずれにも直交する方向に沿って主ケース１１、副ケース１２の少なくともいずれかを挿通し、且つ前記長さ方向Ｌにおいて並べられるように取り付けられている。更に、各端子１３と収容される対応する電子部材１０とは、複数のリードにより電気的に接続されている。
【０００７】
この構造によれば、該従来の電子装置は、組み立てや点検又は修理などの作業が行われる際、副ケース１２を主ケース１１から取り外して別々に取り扱うことができる利点がある。
【先行技術文献】
【特許文献】
【０００８】
【特許文献１】台湾実用新案登録第Ｍ３４２６５５号
【考案の概要】
【考案が解決しようとする課題】
【０００９】
しかし、該従来の電子装置に更なる性能を追求すべく、より多くの電子部材１０及び端子１３を増設する場合には、主ケース１１に取付けられている端子１３と、副ケース１２に取付けられる端子１３とは長さ方向Ｌにおいて同列に並ぶこととなるため、主ケース１１並びに装置全体を長さ方向Ｌまたは幅方向Ｗで拡張するしかなく、回路基板において占める面積も増え、回路基板に占める面積に対する利用効率の点においては更なる向上の余地がある。
【００１０】
上記問題点に鑑みて、本考案は、回路基板に占める面積を効率よく利用して電子部材と端子の増設に適する電子装置のパッケージケースの提供を目的とする。
【課題を解決するための手段】
【００１１】
上記目的を達成すべく、本考案の電子装置のパッケージケースは、電子部材と回路基板を電気的に接続できる電子装置のパッケージケースにおいて、第１の方向において、互いに間を空けて対面するように形成されると共に、それぞれ第１側部収容空間を囲む２つの側壁と、各前記側壁を繋ぎ、且つ各前記側壁をと共に前記回路基板に向かって開口するケース収容凹部を画成する連接壁と、を有する第１のケースと、互いに間を空けて配置されている上壁及び底壁と、前記上壁及び前記底壁を繋ぎ、且つ該前記上壁及び前記底壁と共に前記第１の方向において互いに離間している２つの第２の収容空間を画成する隔壁と、を有し、前記第１のケースの前記ケース収容凹部内に収容されている第２のケースと、前記第１のケースにある各前記側壁にそれぞれ取り付けられる２つの第１の接続端子群と、前記第１の方向において各前記第１の接続端子群と離間するように、前記第２のケースにある前記底壁に取り付けられる２つの第２の接続端子群と、が含まれている接続手段と、を具え、各前記第１の接続端子群には、前記第１の方向と異なる第２の方向において互いに間を空けて配置される複数の第１の接続端子が含まれており、各前記第２の接続端子群には、前記第２の方向において互いに間を空けて配置されている複数の第２の接続端子が含まれており、更に、少なくとも各前記第１側部収容空間及び各前記第２の収容空間のいずれか１つに、前記電子部材の少なくとも一部を収容できるように構成されている。
【考案の効果】
【００１２】
上記構成によれば、本考案の電子装置のパッケージケースは、前記第１の方向において互いに間を空けて配置される２つの前記第１側部収容空間を囲む前記第１のケースと、２つの前記第１側部収容空間の間に、前記第１の方向において互いに間を空けて配置される２つの前記第２の収容空間を囲むように、前記第１のケースに収容される前記第２のケースと、を具えていると共に、前記第１のケースに取り付けられる第１の接続端子群と、前記第２のケースに取り付けられる第２の接続端子群とはそれぞれ第１の方向と異なる第２の方向において互いに間を空けて配置されるので、回路基板に占める面積を効率よく利用して電子部材と端子の増設に適する電子装置のパッケージケースを提供することができる。
【図面の簡単な説明】
【００１３】
【図１】従来の電子装置が示されている分解斜視図である。
【図２】従来の電子装置が示されている要部分解平面図である。
【図３】本考案の電子装置のパッケージケースの第１の実施形態が示されている分解斜視図である。
【図４】本考案の電子装置のパッケージケースの第１の実施形態が示されている分解断面図である。
【図５】本考案の電子装置のパッケージケースの第１の実施形態が示されている断面図である。
【図６】本考案の電子装置のパッケージケースの第２の実施形態が示されている分解斜視図である。
【図７】本考案の電子装置のパッケージケースの第２の実施形態が示されている分解断面図である。
【考案を実施するための形態】
【００１４】
（第１の実施形態）
以下、図３〜図５を参照しながら、本考案の電子装置のパッケージケースを例示する第１の実施形態について詳しく説明する。図３は本考案の第１の実施形態が示されている分解斜視図であり、図４は本考案の第１の実施形態が示されている分解断面図であり、そして図５は本考案の第１の実施形態が示されている断面図である。
【００１５】
図４と図５に示すように、本考案の電子装置のパッケージケースのこの実施形態は、ろ波機能のある複数のチョークコイルなどの電子部材２２を収容してそれらを複数のスルーホール２１０が設けられる回路基板２１と電気的に接続できるものである。
【００１６】
本考案の電子装置のパッケージケースが収容している各電子部材２２は、複数の接続孔２２３が設けられる接続基板２２１と、接続基板２２１に電気的に取り付けられる複数の部材本体２２２（それぞれ1つのみ図示する）と、を具えている。
【００１７】
本考案の電子装置のパッケージケースは、複数の電子部材２２を収容する第１のケース３と、第１のケース３に収容されて複数の電子部材２２を収容する第２のケース４と、第１のケース３及び第２のケース４に取り付けられて各電子部材２２を回路基板２１と電気的に接続する接続手段５と、第１のケース３を覆うハウジング６と、を具えている。
【００１８】
第１のケース３は、第１の方向Ｘ１において、互いに間を空けて対面するように形成されると共に、それぞれ第１側部収容空間３１１を囲む２つの側壁３１と、各側壁３１を繋ぎ、且つ各側壁３１と共に回路基板２１に向かって開口するケース収容凹部３３を画成する連接壁３２と、を有している。また、第１のケース３は、図３に示すように、第１の方向Ｘ１と異なって略直交する第２の方向Ｘ２へ延伸するように形成されている。
【００１９】
なお、各側壁３１にある２つの第１側部収容空間３１１は、第１の方向Ｘ１において反対向きとなる方向に開口する第１の開口３１２を有している。各側壁３１は、第１の開口３１２の周縁に接する環状面３１３と、連接壁３２の反対側で回路基板２１に面する第１の底面３１４と、を有している。更に、連接壁３２は、ケース収容凹部３３とは反対の第１の上面３２１を形成している。
【００２０】
第２のケース４は、第１のケース３のケース収容凹部３３内に収容されている。第２のケース４は、互いに間を空けて配置されている上壁４２及び底壁４３と、上壁４２及び底壁４３を繋ぎ、且つ該上壁４２及び底壁４３と共に第１の方向Ｘ１において互いに離間している２つの第２の収容空間４５を画成する隔壁４４と、を有している。また、第２のケース４も、図３に示すように、第２の方向Ｘ２へ延伸するように形成されている。なお、第２のケース４にある各第２の収容空間４５は、それぞれ第１のケース３の各側壁３１に臨む第２の開口４５１を有している。
【００２１】
底壁４３は、対応する第２の収容空間４５にある第２の開口４５１の周縁に接し、且つ各側壁３１にそれぞれ臨む２つの底側面４３１と、上壁４２との反対側において回路基板２１に面する第２の底面４３２と、を有している。一方、上壁４２は、対応する第２の収容空間４５にある各第２の開口４５１にそれぞれ隣接して第１のケース３の各側壁３１にそれぞれ臨む２つの上側面４２１と、各第２の収容空間４５とは反対の第２の上面４２２と、を有している。
【００２２】
図３に示すように接続手段５には、第１のケース３にある各側壁３１にそれぞれ取り付けられる２つの第１の接続端子群５１と、第１の方向Ｘ１において各第１の接続端子群５１と離間するように、第２のケース４にある底壁４３に取り付けられる２つの第２の接続端子群５２と、第１のケース３に取り付けられる第１の連絡端子部５３と、第２のケース４の上壁４２に取り付けられる第２の連絡端子部５４と、が含まれている。
【００２３】
更に、各第１の接続端子群５１には、第２の方向Ｘ２において互いに間を空けて配置される複数の第１の接続端子５１１が含まれている。各第２の接続端子群５２には、第２の方向Ｘ２において互いに間を空けて配置されている複数の第２の接続端子５２１が含まれている。第１の連絡端子部５３には、第２の方向Ｘ２において互いに間を空けるように配置される複数の第１の連絡端子５３１が含まれている。そして第２の連絡端子部５４は、第２の方向Ｘ２において互いに間を空けるように配置される複数の第２の連絡端子５４１が含まれている。
【００２４】
各第１の接続端子群５１は、対応する第１のケース３にある側壁３１において連接壁３２とは反対側に取り付けられている。そして図４に示すように、各第１の接続端子群５１にある各第１の接続端子５１１は、対応する側壁３１の環状面３１３から突出して電子部材２２と電気的に接続できる一端である第１の突出部５１３と、対応する該側壁３１にある第１の底面３１４から突出して回路基板２１と電気的に接続できる他端である第１の接続部５１２と、を有している。
【００２５】
また、各第１の連絡端子５３１は、第１の方向Ｘ１に沿って各側壁３１及び連接壁３２を挿通するように、第１のケース３に取り付けられている。各第１の連絡端子５３１は、各側壁３１にある環状面３１３からそれぞれ突出して電子部材２２と電気的に接続できる両端である２つの第１の連絡部５３２を有している。
【００２６】
一方、各第２の接続端子群５２にある各第２の接続端子５２１は、対応する底壁４３の底側面４３１から突出して電子部材２２と電気的に接続できる一端である第２の突出部５２３と、底壁４３にある第２の底面４３２から突出して回路基板２１と電気的に接続できる他端である第２の接続部５２２と、を有している。各第２の連絡端子５４１は、第２のケース４の上壁４２にある各上側面４２１からそれぞれ突出して電子部材２２と電気的に接続できる両端である２つの第２の連絡部５４２を有している。
【００２７】
図５に示すようにハウジング６は、連接壁３２及び各第１側部収容空間３１１を封止するように第１のケース３を覆っている。ハウジング６は、第１及び第２の方向Ｘ１、Ｘ２に沿って形成されると共に連接壁３２にある第１の上面３２１を覆うトップカバー６１と、トップカバー６１の第１の方向Ｘ１における両端から回路基板２１へ延伸する２つのサイドカバー６２と、を有している。各サイドカバー６２はそれぞれ、第１のケース３における各第１側収容空間３１１と、それらの近傍にある各第１の接続端子５１１にある第１の突出部５１３及び各第１の連絡端子５３１にある第１の連絡部５３２と、を覆うように形成されている。
本考案の電子装置のパッケージケースに電子部材２２を組み込む場合には、まず２つの電子部材２２をそれぞれ第２のケース４に対し、それらの各部材本体２２２が各第２の収容空間４５に臨んで収容するように、それらの部材基板２２１における各接続孔２２３を対応する第２の収容空間４５の近傍にある各第２の突出部５２３及び各第２の連絡部５４２と係合して各部材本体２２２と電気的に接続してから、第２のケース４にある各第２の接続部５２２を回路基板２１における対応するスルーホール２１０に挿入してその電子回路と電気的に接続する。
【００２８】
続いては、更なる２つの電子部材２２をそれぞれ第１のケース３に対し、それらの各部材本体２２２が各第１の収容空間３１１に臨んで収容するように、それらの部材基板２２１における各接続孔２２３を対応する第１の収容空間３１１の近傍にある各第１の突出部５１３及び各第１の連絡部５３２と係合して各部材本体２２２と電気的に接続してから、第１のケース４にあるケース収容凹部３３が回路基板２１に接続された第２のケース４及びそれに取り付けられている各電子部材２２を収容するように、第１のケース４にある各第１の接続部５１２を回路基板２１において対応するスルーホール２１０に挿入して接続すると、本考案の電子装置のパッケージケースとの配線は完成し、電子装置として機能することができる。
【００２９】
また、本考案の電子装置のパッケージケースが収容している各電子部材２２は、複数の部材本体２２２が接続基板２２１に取り付けられているもので例示したが、本考案はこれに制限されず、例えば基板を有さずに部材本体２２２の少なくとも一部を第１側部収容空間３１１または第２の収容空間４５のいずれか１つに収容させ、且つ部材本体２２２と対応する各端子を線状のリードで電気的に接続させる構成を採用することも可能である。即ち、本考案において、電子部材の収容に関しては、少なくとも各第１側部収容空間３１１及び各第２の収容空間４５のいずれか１つに、各電子部材の少なくとも一部を収容できるように構成されていればよい。
【００３０】
上記の構造によれば、本考案の電子装置のパッケージケースは、電子部材２２を収容するための第１側部収容空間３１１及び２つの第２の収容空間４５が回路基板２１の板面において並べられる第１の方向Ｘ１を、回路基板２１と接続する第１の接続端子群５１及び第２の接続端子群５２がそれぞれ有する各端子が並べられる方向である第２の方向Ｘ２とを略直交するように設計すると共に、第１側部収容空間３１１を第１のケース３の側壁３１において側面に向かって開口する第１の開口３１２を有するように構成し、且つ、２つの第２の収容空間４５を第２のケース４において側面に向かって開口する第２の開口４５１を有するように構成することによって、より収納効率を追求する場合において、電子部材２２及び接続手段５の増設に応じて第２の方向Ｘ２における全体の長さを増加する必要もなくなり、即ち、回路基板に占める面積を効率よく利用して電子部材と端子の増設に適する電子装置のパッケージケースを提供することが出来る。
【００３１】
（第２の実施形態）
次に、図６と図７を参照しながら、本考案の電子装置のパッケージケースを例示する第２の実施形態について説明する。図６は本考案の第２の実施形態が示されている分解斜視図であり、そして図７は本考案の第２の実施形態が示されている分解断面図である。
【００３２】
第２の実施形態は、構成が上記の第１の実施形態と多く共通しているが、接続手段５ａの第１の連絡端子部５３ａ及び第２の連絡端子部５４ａの構造が異なっている。以下、その異なる構造についてのみ詳しく説明する。
【００３３】
第２の実施形態における第１の連絡端子部５３ａには、第２の方向Ｘ２において互いに間を空けるように配置される複数の第１の連絡端子５３１ａと、各第１の連絡端子５３１ａと電気的に接続する板状の第１の連絡基板５３３と、が含まれている。図７に示すように、各第１の連絡端子５３１ａは、対応する第１のケース３の側壁３１にある環状面３１３から突出して電子部材２２と電気的に接続できる第１の連絡部５３２ａと、対応する該側壁３１の内部を経由して第１の上面３２１から突出するように延伸すると共に、第１の連絡基板５３３と電気的に接続する第１の外接部５３４と、を有している。そして第１の連絡基板５３３には、各第１の連絡端子５３１ａにある第１の外接部５３４とそれぞれ接続する複数の第１の連絡孔５３９が設けられている。      
【００３４】
一方、第２の連絡端子部５４ａには、第２の方向Ｘ２（図６）において互いに間を空けるように第２のケース４の上壁４２に配置される複数の第２の連絡端子５４１ａと、各第２の連絡端子５４１ａと電気的に接続する板状の第２の連絡基板５４３と、が含まれている。各第２の連絡端子５４１は、対応する上壁４２にある各上側面４２１からそれぞれ突出して電子部材２２（図７）と電気的に接続できる第２の連絡部５４２ａと、対応する該上壁４２にある第２の上面４２２から突出して第２の連絡基板５４３と電気的に接続する第２の外接部５４４と、を有している。そして第２の連絡基板５４３には、各第２の連絡端子５４１ａにある第２の外接部５４４とそれぞれ接続する複数の第２の連絡孔５４９が設けられている。
【００３５】
上記の各実施形態によれば、本考案の電子装置のパッケージケースは、電子部材２２を収容するための第１側部収容空間３１１及び２つの第２の収容空間４５が回路基板２１の板面において並べられる第１の方向Ｘ１と、回路基板２１と接続する第１の接続端子群５１及び第２の接続端子群５２がそれぞれ有する各端子が並べられる方向である第２の方向Ｘ２とが略直交するように設計すると共に、第１側部収容空間３１１を第１のケース３の側壁３１において側面に向かって開口する第１の開口３１２を有するように構成し、且つ、２つの第２の収容空間４５を第２のケース４において側面に向かって開口する第２の開口４５１を有するように構成することによって、より収納効率を追求する場合において、電子部材２２及び接続手段５の増設に応じて第２の方向Ｘ２における全体の長さを増加する必要もなくなり、即ち、回路基板に占める面積を効率よく利用して電子部材と端子の増設に適する電子装置のパッケージケースを提供することが出来る。
【００３６】
以上、本考案の好ましい実施形態を説明したが、本考案はこれに限定されるものではなく、その要旨を逸脱しない範囲で種々変更可能である。
【産業上の利用可能性】
【００３７】
上記構成によれば、本考案の電子装置は、より収納効率を追求する場合において、電子部材２２及び接続手段５の増設によって全体の長さの増加を有効に抑えることができるので、したがってその増設に伴って回路基板２１の寸法を作り直す必要性も有効に省く事ができる。
【符号の説明】
【００３８】
２１  回路基板
２２  電子部材
３  第１のケース
３１  側壁
３１１  第１側部収容空間
３１２  第１の開口
３１３  環状面
３２  連接壁
３２１  第１の上面
３３  ケース収容凹部
４  第２のケース
４２  上壁
４２１  上側面
４２２  第２の上面
４３  底壁
４３１  底側面
４４  隔壁
４５  第２の収容空間
４５１  第２の開口
５  接続手段
５１  第１の接続端子群
５１１  第１の接続端子
５１２  第１の接続部
５１３  第１の突出部
５２  第２の接続端子群
５２１  第２の接続端子
５２２  第２の接続部
５２３  第２の突出部
５３、５３ａ  第１の連絡端子部
５３１、５３１ａ  第１の連絡端子
５３２、５３２ａ  第１の連絡部
５３３  第１の連絡基板
５３４  第１の外接部
５３９  第１の連絡孔
５４、５４ａ  第２の連絡端子部
５４１、５４１ａ  第２の連絡端子
５４２、５４２ａ  第２の連絡部
５４３  第２の連絡基板
５４４  第２の外接部
５４９  第２の連絡孔
６  ハウジング
６１  トップカバー
６２  サイドカバー
Ｘ１  第１の方向
Ｘ２  第２の方向
【図１】
0003209092.tif 000003
【図２】
0003209092.tif 000004
【図３】
0003209092.tif 000005
【図４】
0003209092.tif 000006
【図５】
0003209092.tif 000007
【図６】
0003209092.tif 000008
【図７】
0003209092.tif 000009